(57)【要約】【課題】  デジタルカメラの画像やメールデータ、Ｅメールアドレス、電話番号等を、カメラ付き携帯電話から複合機に自動的に転送し、保存可能であるバックアップ機能を持つ複合機において、携帯電話の機種が変更された場合、機種変更前の携帯電話のデータを、機種変更後の携帯電話に、簡単に転送することができる情報処理装置およびその制御方法を提供することを目的とするものである。【解決手段】  デジタルカメラの画像、メールデータ、Ｅメールアドレス、電話番号等を、カメラ付き携帯電話から複合機に自動的に転送し、保存可能とするバックアップ機能を持つ複合機において、携帯電話が機種変更されたときに、バックアップではなく、逆に今までバックアップしていたデータを、携帯電話側にアップロードさせるものである。【選択図】  図１
2006054692.tif 000002
【特許請求の範囲】
【請求項１】
携帯通信端末と接続するためのインタフェース手段と；
データを蓄積する蓄積手段と；
上記蓄積手段に蓄積されているデータを、上記携帯通信端末に転送する転送手段と；
上記蓄積手段に蓄積されているデータを、バックアップするバックアップ制御手段と；
上記携帯通信端末の端末情報を認証する端末情報認証手段と；
上記携帯通信端末の端末番号を認証する端末番号認証手段と；
上記端末情報認証手段、または、上記端末番号認証手段が認証した結果に応じて、上記転送手段あるいは上記バックアップ制御手段を制御する制御手段と；
を有することを特徴とする情報処理装置。
【請求項２】
請求項１において、
上記端末情報認証手段が新規の端末情報を認証し、かつ、上記端末番号認証手段が新規の端末番号を認証した時、上記制御手段は上記バックアップ制御手段を制御し、上記バックアップ制御手段は上記携帯通信端末のデータを上記蓄積手段の新たな領域にバックアップすることを特徴とする情報処理装置。
【請求項３】
請求項１において、
上記端末情報認証手段が新規の端末情報を認証し、かつ、上記端末番号認証手段が既存の端末番号を認証した時、上記制御手段は上記転送手段を制御し、上記転送手段は上記蓄積手段に蓄積されているデータを上記インタフェース手段を介して上記携帯通信端末へ転送するように制御することを特徴とする情報処理装置。
【請求項４】
請求項１において、
上記端末情報認証手段が既存の端末情報を認証し、かつ、上記端末番号認証手段が既存の端末番号を認証した時、上記制御手段は上記バックアップ制御手段を制御し、上記バックアップ制御手段は上記携帯通信端末のデータを上記蓄積手段の上記携帯端末装置に対応した領域にバックアップすることを特徴とする情報処理装置。
【請求項５】
請求項３において、
上記蓄積手段にバックアップされているデータを上記携帯通信端末へ転送後、上記転送したデータに対応する既存の端末情報を新規の端末情報に変更することを特徴とする情報処理装置。
【請求項６】
請求項２において、
上記情報処理装置から上記携帯通信端末に転送するデータを、データ毎に転送するか否かを設定できることを特徴とする情報処理装置。
【請求項７】
請求項１において、
上記情報処理装置から上記携帯通信端末に送信するデータを、複数の転送対象から選択することができることを特徴とする情報処理装置。
【請求項８】
請求項１において、
上記情報処理装置が接続されてデータが管理されているネットワークから、データを転送することを特徴とする情報処理装置。
【請求項９】
請求項１において、
上記情報処理装置が上記携帯通信端末に接続され、バックアップデータが管理されている情報処理端末からデータを転送することを特徴とする情報処理装置。
【請求項１０】
請求項１において、
さらに、蓄積手段に蓄積されているデータに対して転送対象とするかを示すマークを設定する操作手段と；
上記インタフェース手段を介して上記携帯通信端末との接続を検知する検知手段と；
を有し、上記検知手段によって上記携帯通信端末が接続されたことが検知されると、上記制御手段は上記転送手段を制御し、上記転送手段は上記操作手段によってマークを設定したデータを上記携帯通信端末へ自動的に転送することを特徴とする情報処理装置。
【請求項１１】
携帯通信端末と接続するためのインタフェース手段と、データを蓄積する蓄積手段とを有する情報処理装置において、
上記蓄積手段に蓄積されているデータを、上記携帯通信端末に転送する転送工程と；
上記蓄積手段に蓄積されているデータを、バックアップするバックアップ制御工程と；
上記携帯通信端末の端末情報を認証する端末情報認証工程と；
上記携帯通信端末の端末番号を認証する端末番号認証工程と；
上記端末情報認証工程、または、上記端末番号認証工程が認証した結果に応じて、上記転送工程あるいは上記バックアップ制御工程を制御する制御工程と；
を有することを特徴とする情報処理装置の制御方法。
【請求項１２】
携帯通信端末と情報処理装置を接続するためのインタフェース手段と；
データを蓄積する蓄積手段と；
上記蓄積手段に蓄積されているデータを、上記転送する転送手段と；
上記蓄積手段に蓄積されているデータを、バックアップするバックアップ制御手段と；
上記携帯通信端末の端末情報を認証する端末情報認証手段と；
上記携帯通信端末の端末番号を認証する端末番号認証手段と；
上記端末情報認証手段、または、上記端末番号認証手段が認証した結果に応じて、上記転送手段あるいは上記バックアップ制御手段を制御する制御手段と；
を有することを特徴とする情報処理システム。
【請求項１３】
請求項１１において、
さらに、蓄積手段に蓄積されているデータに対して転送対象とするかを示すマークを設定する操作手段と；
上記インタフェース手段を介して上記携帯通信端末と上記情報処理装置の接続を検知する検知手段と；
を有し、上記検知手段によって上記携帯通信端末が接続されたことが検知されると、上記制御手段は上記転送手段を制御し、上記転送手段は上記操作手段によってマークを設定したデータを自動的に転送することを特徴とする情報処理システム。
【発明の詳細な説明】
【技術分野】
【０００１】
本発明は、情報処理装置およびその制御装置に関する。
【背景技術】
【０００２】
デジタルカメラの機能を持った携帯電話が普及している。この携帯電話は、デジタルカメラの便利性と、携帯電話の携帯性によるものと思われる。また、音楽データやその他ゲームやアプリケーションのデータも携帯電話に保存することができる。したがって、携帯電話でのデジタルデータのハンドリングが今後の課題である。特に、カメラ付き携帯電話において、カメラで撮影した画像を保存することは、重要な課題である。
【０００３】
従来、カメラ付きの携帯電話における画像データ等は、次の処理（１）〜（３）が実行されている（たとえば、特許文献１、特許文献２参照）。
処理（１）：携帯電話の内部に画像データを保存
処理（２）：携帯電話に挿入されている外部メモリに、画像データを保存
処理（３）：携帯電話とパソコンとを接続し、パソコンに画像データを転送
しかし、上記処理（１）、（２）では、データバックアップが無いので、データの保存方法としては貧弱である。また、上記処理（３）では、接続や転送等の操作が非常に面倒であり、また、パソコンと専用ソフトウェアとを必要とするので、ユーザには不便である。
【０００４】
また、デジタルカメラとパソコンとの接続時に、ユーザビリティを高める方法として、デジタルカメラから、画像を蓄積する装置へ、自動的にバックアップする方法が知られている（たとえば、特許文献３参照）。この従来方法では、デジタルカメラの接続時に、画像データを自動バックアップする機能を実現している。しかし、この従来方法では、データを画像に限定し、かつ画像保存側が画像再生機能を有する必要がある。
【０００５】
さらに、ここで考える必要があるのは、携帯電話を機種変更する場合である。携帯電話の機種を変更する際に、電話番号を変更せずに機種を変更する場合がほとんどである。この場合、機種変更前の携帯電話のデータを、機種変更後の携帯電話に引き継ぎたいという要望が高い。
【０００６】
しかし、携帯電話の機種変更時には、電話番号データを引き継ぐことはあっても、携帯電話の中身のデータの全てを引き継ぐことはできないという欠点がある。つまり、携帯電話の作成会社が異なれば、データ形式やデータ格納方法も違い、データの流用について考えられていないので、携帯電話の中身のデータの全てを引き継ぐことができないという欠点がある。
【０００７】
この欠点を解決するために、データの画像ごとに個人ＩＤを付与し、画像データを保存することが知られている（たとえば、特許文献４参照）。この従来方法では、画像毎に、ユーザへの割り振りをすることができる。
【特許文献１】特開平７−８７４３号公報
【特許文献２】特開平１１−２２８５号公報
【特許文献３】特開２０００−３５４２１８号公報
【特許文献４】特開２００３−１１０７８９号公報
【発明の開示】
【発明が解決しようとする課題】
【０００８】
しかし、データの画像ごとに個人ＩＤを付与し、画像データを保存する上記従来例では、ＩＤを個人で割り振ることはできるが、機種を変更した場合には、対応することができないという問題があり、また、画像ごとの個人ＩＤでは携帯電話と携帯電話内のデータをバックアップする装置との間でデータ転送方向を変更することができないという問題がある。さらに、機種の情報に応じて、アップロードし、バックアップすることができないという問題がある。
【０００９】
本発明は、デジタルカメラの画像やメールデータ、Ｅメールアドレス、電話番号等を、カメラ付き携帯電話から複合機に自動的に転送し、保存可能であるバックアップ機能を持つ複合機において、携帯電話の機種が変更された場合、機種変更前の携帯電話のデータを、機種変更後の携帯電話に、簡単に転送することができる情報処理装置およびその制御方法を提供することを目的とするものである。
【００１０】
また、本発明は、複数のユーザの携帯電話についても、区別できる情報処理装置およびその制御方法を提供することを目的とする。
【課題を解決するための手段】
【００１１】
本発明は、デジタルカメラの画像、メールデータ、Ｅメールアドレス、電話番号等を、カメラ付き携帯電話から複合機に自動的に転送し、保存可能とするバックアップ機能を持つ複合機において、携帯電話が機種変更されたときに、バックアップではなく、逆に今までバックアップしていたデータを、携帯電話側にアップロードさせるものである。
【発明の効果】
【００１２】
本発明によれば、デジタルカメラの画像、メールデータ、Ｅメールアドレス、電話番号等を、カメラ付き携帯電話から複合機に自動的に転送し、保存可能であるバックアップ機能を持つ情報処理装置あるいは情報処理システムにおいて、電話番号の変更がされないで携帯電話の機種変更が行なわれた場合に、機種変更前の携帯電話のデータを、機種変更後の携帯電話に、簡単に転送させることができるという効果を奏する。
【００１３】
古い機種から新しい機種に機種変更された場合、電話番号データは変わらず、端末情報のみが変更され、一方、本発明では、電話番号の認証と端末の認証とを行うので、電話番号データは変わらず、端末情報のみが変わったことを検出することができ、したがって、携帯電話の機種を変更したことが分かる。また、複数のユーザが、同じ複合機を使用していても、電話番号を認証するので、電話番号毎のデータを区別することができる。このときに、端末情報を新しい携帯通信端末の情報に変更することによって、アップロード後に、端末情報を自動的に更新し、その後も、データ容量を増やすこと無く、データバックアップを行うことができる。また、新規の携帯電話のデータは、情報処理装置でバックアップすることができる。このときに、新規の携帯電話のデータをバックアップする時は、そのデータを蓄積するための新しい領域に蓄積することができる。
【発明を実施するための最良の形態】
【００１４】
発明を実施するための最良の形態は、次の実施例である。
【実施例１】
【００１５】
図１は、本発明の実施例１である情報処理装置１００の概略構成を示すブロック図である。
【００１６】
情報処理装置１００は、ＣＰＵ１０１と、ＲＯＭ１０２と、ＲＡＭ１０３と、画像メモリ１０４と、データ変換部１０５と、読取制御部１０６と、読取部１０７と、操作表示部１０８と、通信制御部１０９と、解像度変換処理部１１０と、符号復号化処理部１１１と、記録制御部１１２と、記録部１１３と、ＵＳＢホスト制御部１１４と、ＵＳＢファンクション制御部１１５と、データ蓄積部１１６と、携帯通信端末認証部１１７と、携帯通信端末Ｉ／Ｆ制御部１１８と、ＰＣＭＣＩＡ  Ｉ／Ｆ制御部１１９とを有する。
【００１７】
ＣＰＵ１０１は、システム制御部であり、情報処理装置１００の全体を制御する。
【００１８】
ＲＯＭ１０２は、ＣＰＵ１０１が実行する制御プログラムや組み込みオペレーティングシステム（ＯＳ）プログラム等を格納する。実施例１では、ＲＯＭ１０２に格納されている各制御プログラムは、ＲＯＭ１０２に格納されている組み込みＯＳの管理下で、スケジューリングやタスクスイッチ等のソフトウェア制御を行う。
【００１９】
ＲＡＭ１０３は、ＳＲＡＭ（ｓｔａｔｉｃ  ＲＡＭ）等で構成され、プログラム制御変数等を格納し、また、オペレータが登録した設定値や情報処理装置１００の管理データ等を格納し、各種ワーク用バッファ領域が設けられている。
【００２０】
画像メモリ１０４は、ＤＲＡＭ（ｄｙｎａｍｉｃ  ＲＡＭ）等で構成され、画像データを蓄積する。
【００２１】
データ変換部１０５は、ページ記述言語（ＰＤＬ）等の解析や、キャラクタデータのＣＧ（ｃｏｍｐｕｔｅｒ  ｇｒａｐｈｉｃｓ）展開等、画像データの変換を行う。
【００２２】
読取制御部１０６は、読取部１０７が、ＣＩＳイメージセンサ（密着型イメージセンサ）によって原稿を光学的に読み取り、電気的な画像データに変換した画像信号を、図示しない画像処理制御部を介して、２値化処理や中間調処理等の各種画像処理を施し、高精細な画像データを出力する。なお、実施例１では、読取制御部１０６は、原稿を搬送しながら読み取りを行うシート読取制御方式と、原稿台にある原稿をスキャンするブック読取制御方式の両制御方式とに対応している。
【００２３】
操作表示部１０８は、数値入力キー、文字入力キー、ワンタッチ電話番号キー、モード設定キー、決定キー、取り消しキー等を備え、ユーザが画像送信相手先データの決定や登録値の設定データや省エネモードの設定の登録動作を行うための操作部と、各種キー、ＬＥＤ（発光ダイオード）とＬＣＤ（液晶ディスプレイ）等によって構成され、オペレータによる各種入力操作や、情報処理装置１００の動作状況、ステータス状況の表示等を行う表示部である。
【００２４】
通信制御部１０９は、ＭＯＤＥＭ（変復調装置）や、ＮＣＵ（網制御装置）等によって構成されている。実施例１では、通信制御部１０９は、アナログの通信回線（ＰＳＴＮ）に接続され、Ｔ３０プロトコルでの通信制御、通信回線に対する発呼と着呼等の回線制御を行っている。
【００２５】
解像度変換処理部１１０は、画像データのミリ−インチ解像度変換等の解像度変換制御を行う。なお、解像度変換部１１０において、画像データの拡大縮小処理も可能である。
【００２６】
符号復号化処理部１１１は、情報処理装置１００で扱う画像データ（ＭＨ、ＭＲ、ＭＭＲ、ＪＢＩＧ、ＪＰＥＧ等）を符号復号化処理や、拡大縮小処理を行う。
【００２７】
記録制御部１１２は、印刷される画像データに対し、図示しない画像処理制御部を介して、スムージング処理や記録濃度補正処理、色補正等の各種画像処理を施し、高精細な画像データに変換し、ＵＳＢホスト制御部１１４に出力する。また、ＵＳＢホスト制御部１１４を制御することによって、定期的に記録部１１３の状態情報データを取得する役割も果たす。
【００２８】
記録部１１３は、レーザビームプリンタやインクジェットプリンタ等からなる印刷装置であり、カラー画像データ、またはモノクロ画像データを印刷部材に印刷する。ＵＳＢホスト制御部１１４とは、ＵＳＢ通信規格で定められたプロトコルで通信を行い、特に記録部１１３は、ファンクションの機能を有する。
【００２９】
ＵＳＢホスト制御部１１４は、ＵＳＢ通信規格で定められたプロトコルで通信を行うための制御部である。ＵＳＢ通信規格は、双方向のデータ通信を高速に行うことができる規格であり、１台のホスト（マスター）に対し、複数のハブまたはファンクション（スレーブ）を接続することができる。ＵＳＢホスト制御部１１４は、ＵＳＢ通信におけるホストの機能を有する。
【００３０】
ＵＳＢファンクション制御部１１５は、ＵＳＢインタフェースの通信制御を行うものであり、ＵＳＢ通信規格に従って、プロトコル制御を行い、ＣＰＵ１０１が実行するＵＳＢ制御タスクからのデータを、パケットに変換し、外部の情報処理端末に、ＵＳＢパケットを送信し、逆に、外部の情報処理端末からのＵＳＢパケットを、データに変換し、ＣＰＵ１０１に送信する。
【００３１】
データ蓄積部１１６は、データを蓄積する。画像メモリ１０４を構成するＤＲＡＭでは、データバックアップ用の領域を用意していないので、実施例１では、データ蓄積部として、データ保存領域を用意している。画像メモリ１０４と共有する場合もある。データ蓄積部１１６に、データのバックアップ等を行うことができる。実施例１では、ＤＲＡＭを用いているが、ＤＲＡＭの代わりに、ハードディスクや揮発性メモリ等を使用するようにしていもよい。
【００３２】
携帯通信端末認証部１１７は、携帯通信端末２００とデータのやり取りを行い、接続された携帯通信端末２００を認証する。ここでは、携帯通信端末２００の端末データと電話番号との認証を行う。
【００３３】
携帯通信端末Ｉ／Ｆ制御部１１８は、携帯通信端末２００を接続するためのインタフェースの制御部である。このインタフェースから携帯通信端末２００等に接続することができる。接続方法として、ＵＳＢ、ＢＬＵＥＴＯＯＴＨ等があるが、データを送受することができれば、他の接続方法を使用するようにしてもよい。
【００３４】
ＰＣＭＣＩＡ  Ｉ／Ｆ制御部１１９は、ポータブルＰＣ用のカード型メモリのインタフェースの制御部であり、外部メモリカード１２０と接続する。
【００３５】
メモリカード１２０は、データ記憶媒体であり、情報処理装置１００に接続することができる。実施例１では、ＰＣＭＣＩＡ  Ｉ／Ｆ制御部１１９によって、メモリカード１２０を接続しているが、外部メモリカード１２０を接続することができる方法であれば、他のインタフェースを使用するようにしてもよい。画像データやその他電子データを、ＰＣＭＣＩＡ  Ｉ／Ｆ制御部１１９を通して、メモリカード１２０内のデータにアクセスすることができる。
【００３６】
デジタルカメラ１２１は、レンズによって撮影した画像を、デジタルデータとして保存するカメラである。ＵＳＢファンクション制御部１１５と接続することができ、通信を行うことによって、デジタルカメラ１２１のデータを、情報処理装置１００との間でやり取りすることができる。
【００３７】
実施例１においては、記録機能のＵＳＢ通信は、１対１の接続形態を用いる。
【００３８】
上記構成要素１０１〜１０６、１０８〜１１９は、ＣＰＵ１０１が管理するＣＰＵバス１２２を介して、相互に接続されている。
【００３９】
図２は、実施例１である情報処理装置１００と接続される携帯通信端末２００の概略構成を示すブロック図である。
【００４０】
携帯通信端末２００は、携帯電話等であり、ＣＰＵ２０１と、ＲＯＭ２０２と、画像メモリ２０３と、操作部２０４と、メモリカードＩ／Ｆ制御部２０５と、ＲＡＭ２０７と、表示部２０８と、外部Ｉ／Ｆ制御部２０９と、画像撮影部２１０と、通信部２１１と、ＣＰＵバス２１２とを有する。
【００４１】
ＣＰＵ２０１は、システム制御部であり、携帯通信端末２００の全体を制御する。
【００４２】
ＲＯＭ２０２は、ＣＰＵ２０１が実行する制御プログラムやオペレーティングシステム（ＯＳ）プログラム等を格納する。実施例１では、ＲＯＭ２０２に格納されている各制御プログラムは、ＲＯＭ２０２に格納されている組み込みＯＳの管理下で、スケジューリングやタスクスイッチ等のソフトウェア制御を行う。
【００４３】
画像メモリ２０３は、ＤＲＡＭ（ｄｙｎａｍｉｃ  ＲＡＭ）等で構成され、画像データを蓄積する。
【００４４】
操作部２０４は、携帯通信端末２００の操作部としてキーを持つ部である。特に、実施例１においては、携帯通信端末２００として携帯電話を想定しているので、テンキー、メニューキー、メールキー、撮影キー等、複数のキーが設けられている。
【００４５】
メモリカードＩ／Ｆ制御部２０５は、携帯電話に挿入できるメモリカード２０６のインタフェースを制御する。
【００４６】
メモリカード２０６は、データを蓄えるメモリを持つメディアである。実施例１では、メディアを特定していないが、電子データを保存できるものであれば、どのメモリを使用するようにしてもよい。
【００４７】
ＲＡＭ２０７は、ＳＲＡＭ（ｓｔａｔｉｃ  ＲＡＭ）等で構成され、プログラム制御変数等を格納し、また、オペレータが登録した設定値、携帯通信端末２００の管理データ等を格納し、各種ワーク用バッファ領域が設けられている。
【００４８】
表示部２０８は、情報を表示することができる。通信するための電話番号や、画像撮影した際の画像閲覧等、複数の用途として使用される。
【００４９】
外部Ｉ／Ｆ制御部２０９は、外部機器と接続するためのインタフェースを制御する。実施例１では、情報処理装置１００と接続している。接続方法に関しては、情報処理装置１００との間でデータを送受できる接続方法であれば、他の接続方法を使用するようにしてもよい。
【００５０】
画像撮影部２１０は、画像を撮影し、この撮影した画像を、デジタルデータとして、画像メモリ２０３またはメモリカード２０６に保存することができる。
【００５１】
通信部２１１は、携帯通信端末２００が通信する手段であり、電話としての通信やメール、携帯電話端末サイト等に使用することができる。
【００５２】
図３は、情報処理装置１００に設けられている操作表示部１０８の具体例を示す図である。
【００５３】
操作表示部１０８は、ＬＣＤ３０１と、電源キー３０２と、コピーモードキー３０３と、ファックスモードキー３０４と、スキャンモードキー３０５と、フォトモードキー３０６と、メニューキー３０７と、ユーザ設定キー３０８と、フォトインデックスシートキー３０９と、マイナスキー３１０と、プラスキー３１１と、セットキー３１２と、電話帳キー３１３と、リダイアルキー３１４と、テンキー３１５と、ＳＴＯＰキー３１６と、モノクロスタートキー３１７と、カラースタートキー３１８とを有する。
【００５４】
ＬＣＤディスプレイ３０１は、メッセージやオペレーションプロンプト、各種情報を表示するディスプレイである。
【００５５】
電源キー３０２は、情報処理装置１００の電源をＯＮ／ＯＦＦするキーである。
【００５６】
コピーモードキー３０３は、情報処理装置１００をコピーできる状態にするキーである。コピーモードキー３０３を押下することによって、情報処理装置１００をコピーモードにすることができる。
【００５７】
ファックスモードキー３０４は、情報処理装置１００をファックスができる状態にするキーである。ファックスモードキー３０４を押下することによって、情報処理装置１００を、ファックスモードにすることができる。
【００５８】
スキャンモードキー３０５は、情報処理装置１００をスキャンできる状態にするキーである。スキャンモードキー３０５を押下することによって、情報処理装置１００をスキャンモードにすることができる。
【００５９】
フォトモードキー３０６は、情報処理装置１００を、デジタル写真のカードやカメラから、ダイレクト印刷を実行することができる状態にするためのキーである。フォトモードキー３０６を押下することによって、情報処理装置１００をフォトモードにすることができる。
【００６０】
メニューキー３０７は、コピー、ファックス、カードからのダイレクト印刷等を実行するときに設定値を設定する項目を表示するキーである。メニューキー３０７を押下することによって、実行用の設定項目を、ＬＣＤ３０１に表示することができ、プラスキー３１１やマイナスキー３１０等で選択し、セットキー３１２でセットすることができる。
【００６１】
ユーザ設定キー３０８は、ユーザが情報処理装置１００に設定する設定値を登録するための画面を表示するキーである。ユーザ設定キー３０８を押下することによって、ユーザ設定項目を、ＬＣＤ３０１に表示することができ、プラスキー３１１やマイナスキー３１０等で選択し、セットキー３１２でセットすることができる。
【００６２】
フォトインデックスシートキー３０９は、フォトインデックスシートを、印刷または読取するための画面に移行するキーである。情報処理装置１００にメモリカード１２０が挿入された状態において、このキー３０９が押下されると、フォトインデックスシートの印刷、または読取を指示できる画面に移行する。プラスキー３１１、マイナスキー３１０等によって読取か印刷かを選択し、セットキー３１２でセットすることができる。マイナスキー３１０、プラスキー３１１は、メニューやユーザ登録等、ユーザが複数の選択肢から選択を行う際に使用されるキーである。マイナス、プラスはそれぞれ逆順、正順である。
【００６３】
セットキー３１２は、選択された項目を決定するキーである。
【００６４】
電話帳キー３１３は、電話帳に登録された電話番号を呼び出すキーである。
【００６５】
リダイアルキー３１４は、押すことによって、最後にダイヤルした相手先へ再発呼するキーである。
【００６６】
テンキー３１５は、電話番号、ファクシミリ番号や相手先名称等の登録や、コピー部数やダイヤルをするときに使用するキー群である。
【００６７】
ＳＴＯＰキー３１６は、ファクシミリ送受信、コピーやその他のオペレーション操作を停止させるキーである。
【００６８】
モノクロスタートキー３１７は、白黒ファクシミリ送信、白黒コピー等を開始するキーである。
【００６９】
カラースタートキー３１８は、カラーファクシミリ送信、カラーコピーを開始するキーである。
【００７０】
図４は、実施例１において、携帯通信端末２００を情報処理装置１００に接続した際に、自動バックアップまたは転送する動作を示すフローチャートである。
【００７１】
実施例１において、通常は、複合機と携帯通信端末２００とを接続することによって、電話番号ごとに、データをバックアップすることができ、そして、携帯通信端末２００を機種変更したときに、同じ電話番号で、それ以前にバックアップしていたものから、携帯通信端末２００へ転送（アップロード）することができる。
【００７２】
まず、Ｓ４０１では、携帯通信端末２００が情報処理装置１００に接続されているかどうかを判別する。接続されていなければ、接続されるまで、Ｓ４０１で待ち続ける。携帯通信端末２００が接続されれば、Ｓ４０２で、携帯通信端末２００の端末情報を取得する。携帯通信端末２００の端末情報は、携帯通信端末２００毎に設定されている固有のデータや、携帯通信端末２００の種類等の情報である。実施例１では、携帯通信端末２００の種類を区別するために、携帯通信端末２００の情報を取得するが、携帯通信端末２００を判別できる情報であれば、この限りではない。
【００７３】
次に、Ｓ４０３では、携帯通信端末２００の電話番号を取得し、Ｓ４０４では、Ｓ４０３で取得した電話番号が、情報処理装置１００に既に登録されているかどうかを判別する。実施例１では、電話番号と端末番号との組み合わせを、ＩＤとして、データ格納場所に保存する。
【００７４】
図１５は、携帯通信端末２００のバックアップデータを、電話番号と端末情報とによってバックアップ領域を分ける動作の一例を示す図である。
【００７５】
たとえば、図１５に示すように、０９０−１１１１−１１１１と０９０−２２２２−２２２２とについて、領域ＡＢＣを確保している場合、電話番号が０９０−１２３４−５６７８である携帯通信端末２００が、新たに接続されたとする。上記新たに接続された携帯通信端末２００のデータは、情報処理装置１００には登録されていないので、電話番号が０９０−１２３４−５６７８である端末情報Ｃを格納する領域Ｄを作る。
【００７６】
一方、Ｓ４０４において接続された携帯通信端末２００が、既に登録されている番号であれば、Ｓ４０５では、接続された携帯通信端末２００の端末情報が既に登録されているものかどうかを判別する。まだ登録されていないと判断されれば、Ｓ４０６では、バックアップデータを、携帯通信端末２００に転送（アップロード）する。このデータのバックアップ動作の詳細については、図５を使用して、後述する。
【００７７】
一方、Ｓ４０５において、登録が既にされていると判断されれば、Ｓ４０７で、登録データを検索し、バックアップ領域を見つけ、Ｓ４０９に移行する。また、Ｓ４０４において、電話番号が登録されていないと判断されれば、Ｓ４０８で、新規電話番号、新規携帯通信端末としてバックアップ領域を作成し、Ｓ４０９に移行する。Ｓ４０９では、携帯通信端末２００のデータバックアップを行う。このデータのバックアップ動作の詳細については、図５を使用して、後述する。
【００７８】
携帯通信端末２００には、１つの電話番号が登録されている。この電話番号は、携帯通信端末２００固有のものではなく、権利保有者（携帯通信端末を使用している者）と電話番号とが１対１で、対応している。したがって、他の携帯通信端末に乗り換えることができ、このために、１つの電話番号について、複数の端末データが存在する。よって、実施例１において、電話番号と携帯通信端末２００の端末情報との２つが、バックアップ領域に、ＩＤとして登録されている。
【００７９】
この方法を用いることによって、通常は、複合機と携帯通信端末２００との接続によって、電話番号毎にデータをバックアップすることができ、また、携帯通信端末２００が機種変更された場合、同じ電話番号でそれ以前にバックアップしていたデータを、携帯通信端末２００へ転送（アップロード）することができる。つまり、ユーザが特に認識せずに、バックアップとアップロードとの動作が実行される。ここで、携帯通信端末２００の接続対象として、複合機を想定しているが、携帯通信端末２００と接続することができ、バックアップの領域をもつ装置であれば、複合機の代わりに複合機以外の装置を接続するようにしてもよい。
【００８０】
図５は、バックアップしておいたデータを、携帯通信端末２００にアップロードする動作を示すフローチャートであり、図１４は、そのアップロードによるデータ自動変更の概念を示す図である。
【００８１】
電話番号イと、携帯通信端末Ａ（携帯通信端末２００と同様のもの）との組み合わせで、バックアップを取ることができる。これが、「電話番号イ  携帯通信端末Ａ」のバックアップデータである。そして、電話番号イを使用する携帯通信端末２００の機種を、携帯通信端末Ｂ（携帯通信端末２００と同様のもの）に変更したとする。この場合、バックアップデータの中にアップロード用とされているデータを、携帯通信端末Ｂに転送する。これによって、「携帯通信端末Ａ、電話番号イ」という組み合わせは、必要がなくなる場合がある。特に、日本の携帯通信端末の事情ではこのような場合が多い。Ｓｉｍカード等の個人情報と、端末情報とを組み合わせることができる場合は、別である。そして、必要のない「携帯通信端末Ａ  電話番号イ」という組み合わせは、今後、「携帯通信端末Ｂ  電話番号イ」の組み合わせで使用する。したがって、アップロード後は、端末情報を携帯通信端末Ａから携帯通信端末Ｂに変更する。
【００８２】
実施例１においては、機種変更の前後を通じて電話番号が同じであれば、機種変更前に情報処理装置１００にバックアップしたデータを、機種変更時に、機種変更後の携帯通信端末２００にアップロードさせることができ、この動作が簡単である（自動的に実行される）。
【００８３】
図５は、図４に示すＳ４０６（バックアップデータを携帯通信端末２００へ転送する動作）の詳細動作を示すフローチャートである。
【００８４】
Ｓ５０１では、取得した電話番号データのデータを、複合機（情報処理装置１００）内のデータベースから検索する。次に、Ｓ５０２では、接続されている携帯通信端末２００の電話番号に対して、複数の端末情報のデータが保存されているかどうかを調べる。複数の端末情報のデータが保存されていない場合、Ｓ５０４に移行する。保存されていれば、Ｓ５０３において、アップロードすべき携帯通信端末２００のデータを選択する。
【００８５】
このデータを選択する場合、実施例１では、データバックアップの日付順で選択する。日付が一番新しいものを、アップロードデータ対象としている。携帯通信端末２００にアップロードすべきデータの選択を、ユーザに行わせるようにしてもよい。
【００８６】
Ｓ５０４では、自動アップロードが設定されているかどうかを判別し、自動アップローが設定されていれば、Ｓ５０７において、携帯通信端末２００へアップロードする。一方、Ｓ５０４で、自動アップロードが設定されていなければ、Ｓ５０５で、アップロードするユーザに選択を促す。Ｓ５０６では、アップロードするかどうかをユーザに選択させる。そして、アップロードする場合、Ｓ５０７で、アップロードする。このアップロードの詳細動作については、図８を使用して後述する。Ｓ５０６において、アップロードが選択されなければ、そのまま終了する。
【００８７】
また、図５のフローチャートには示さないが、Ｓ５０７において、携帯通信端末２００へアップロードを終えたら、アップロード対象となったデータのデータ情報を変更するように制御することも可能である。上記「データ情報」は、端末情報と電話番号の情報との２つの情報であるが、端末情報を、新しい携帯通信端末の情報に変更する。このようにすることによって、アップロード後に、端末情報を自動的に更新し、その後も、データ容量を増やすこと無く、データバックアップを行うことができる。
【００８８】
実施例１によって、機種変更時に、以前に同じ電話番号でバックアップしていたデータを、機種変更後の携帯通信端末２００に簡単にアップロードさせることができる。また、ユーザが、アップロードすることを望まない場合、アップロードしない選択も可能である。
【００８９】
図６は、実施例１において、データのバックアップ動作を示すフローチャートである。
【００９０】
図６では、携帯通信端末２００から情報処理装置１００にデータを保存する動作を示しているが、接続されたパソコンへ、情報処理装置１００からデータを転送する際や、情報処理装置１００から外部のネットワークデータへデータを転送する際も、上記と同様である。
【００９１】
まず、Ｓ６０１では、バックアップの対象となる画像データが、携帯通信端末２００に存在しているかどうかを判別する。バックアップの対象である画像データがなければ、Ｓ６０４では、バックアップ対象となるか否かを判別するが、この判別のために、実施例１においては、画像に情報を付与する。情報処理装置１００が、判別可能な方法であれば、これに限るものではない。
【００９２】
Ｓ６０１で、画像データがあると判別されたら、Ｓ６０２において、携帯通信端末２００から画像データを取得し、Ｓ６０３では、取得データを情報処理装置１００の図４で設定されたバックアップ領域に設定する。
【００９３】
次に、Ｓ６０４では、携帯通信端末２００に、バックアップ対象のメールがあるかどうかを判別する。Ｓ６０４において、バックアップ対象メールがなければ、Ｓ６０９に移行する。Ｓ６０４において、携帯通信端末２００にバックアップ対象メールがあれば、Ｓ６０５で、携帯通信端末２００からメールデータを取得する。Ｓ６０６では、バックアップデータとしての対象メールについて、画像とのリンクデータをもっているかどうかを判別する。メールとリンクされている情報があれば、Ｓ６０７では、リンクのデータを作成し、保存する。
【００９４】
次に、Ｓ６０８では、取得メールデータを、情報処理装置１００に保存し、Ｓ６０９で、その他のバックアップ対象のデータがあるかどうかを判別する。データがなければ、終了する。Ｓ６０９で、データがあれば、Ｓ６１０で、携帯通信端末２００からデータを取得する。Ｓ６１１では、取得データを情報処理装置１００に保存する。図６におけるバックアップ方法の詳細動作を、図７に記載してある。
【００９５】
この方法によって、携帯通信端末２００から、情報処理装置１００にデータ転送することができる。また、このようにして、携帯通信端末２００のメールデータと画像データとの関連情報を保存することができる。
【００９６】
実施例１は、携帯通信端末２００から情報処理装置１００へ画像を転送する方法である。情報処理装置１００からパソコンへのバックアップ、また情報処理装置１００からネットワークサーバへ画像転送する場合も、上記と同様である。
【００９７】
図７は、実施例１において、バックアップの詳細動作を示すフローチャートである。
【００９８】
まず、Ｓ７０１では、データ情報のリスト情報を取得する。上記「データ情報」は、携帯通信端末２００に蓄積されているデータの情報である。上記データ情報は、画像の画像番号、画像サイズ、画像の圧縮方法等である。特に、ここでは、データ個数をリストアップした情報を取得する。そして、Ｓ７０２において取得した情報によって、データの数をＤＡＴＡとし、データが１からＤＡＴＡまであるとする。そして、データ番号をＮと定義し、Ｎ＝１に初期化し、データを頭から順番にチェックする。
【００９９】
次に、Ｓ７０３では、リストのＮ番目のデータ情報を取得する。このデータ情報は、データＮに付与されたデータであり、たとえば撮影場所、解像度、バックアップ対象であるか等の情報である。
【０１００】
次に、Ｓ７０４では、データＮの情報がバックアップ対象であるかどうかを判別する。データＮがバックアップ対象でなければ、Ｓ７０６に移行する。Ｓ７０４において、バックアップ対象であると判別されたら、Ｓ７０５で、データを保存する。
【０１０１】
データの保存が終わったら、Ｓ７０６で、データＮがデータ数ＤＡＴＡよりも小さいかどうかを判別する。データＮがデータ数ＤＡＴＡよりも小さければ、Ｓ７０７では、Ｎ＝Ｎ＋１として、Ｓ７０３において、データ情報を取得する。Ｓ７０６において、ＮがＤＡＴＡであれば、データ転送を終了する。実施例１によって、画像データ毎に、バックアップ対象を判別することができる。
【０１０２】
図８は、実施例１において、アップロードの詳細動作を示すフローチャートである。
【０１０３】
実施例１によって、アップロードを、データ毎に設定されたマークによって選択することができる。これによって、バックアップデータの中から、アップロード対象のものだけを、アップロードすることができる。
【０１０４】
まず、Ｓ８０１において、アップロードマークが付されているデータを抽出する。そして、Ｓ８０２において、携帯通信端末２００のデータ容量は、アップロードデータよりも大きいかどうかを判別する。大きければ、Ｓ８０３に移行する。大きくなければ、アップロード処理を終了する。Ｓ８０３では、複合機内のバックアップデータ情報から、リスト情報を取得する。上記「データ情報」は、複合機内に蓄積されているバックアップデータの情報である。データ情報は、画像の画像番号、画像サイズ、画像の圧縮方法等である。特に、ここでは、データ個数をリストアップした情報を取得する。
【０１０５】
そして、Ｓ８０４において取得した情報によって、データの数をＤＡＴＡとし、データが１からＤＡＴＡまであるとする。そして、データ番号を、Ｍと定義し、Ｍ＝１に初期化し、データを頭から順番にチェックする。
【０１０６】
次に、Ｓ８０５において、リストのＭ番目のデータ情報を取得する。上記データ情報は、データＭに付与されたデータ、たとえば撮影場所、解像度、バックアップ対象であるか等の情報である。Ｓ８０６において、データＭがアップロード対象であるかどうかを判別する。データＭがアップロード対象でなければ、Ｓ８０８に移行する。また、Ｓ８０６において、アップロード対象であると判別されれば、Ｓ８０７において接続されている携帯通信端末２００へ、データＭをアップロードする。データＭのアップロード処理が終われば、Ｓ８０８では、データＭがデータ数ＤＡＴＡよりも小さいかどうかを判別する。小さければ、Ｓ８０９において、Ｍ＝Ｍ＋１として、再びＳ８０５においてデータ情報を取得する。Ｓ８０８にて、データＭが、ＤＡＴＡであれば、携帯通信端末２００へのデータ転送を終了する。
【０１０７】
実施例１において、データ毎に設定されているマークによって、アップロードを選択することができる。これによって、バックアップデータの中から、アップロード対象のものだけアップロードすることができる。
【０１０８】
図９は、実施例１において、外部ネットワークサーバに、携帯通信端末２００のデータを自動バックアップする動作を示すフローチャートである。
【０１０９】
実施例１によって、携帯通信端末２００が接続された複合機が、ネットワーク等のサーバに接続され、データサーバを持つ場合、データサーバにデータをバックアップすることができる。
【０１１０】
Ｓ９０１では、複合機がＬＡＮ接続されているかどうかを判別する。情報処理装置１００にＬＡＮが接続されていなければ、Ｓ９０１で、ＬＡＮが接続されるのを待つ。Ｓ９０１で、ＬＡＮが接続されていることを検知したら、Ｓ９０２では、バックアップ場所が設定されているかどうかを判別する。バックアップ場所が指定されていなければ、Ｓ９１０で、ユーザがバックアップ場所を指定することを、表示部１０８に表示し、ユーザが指定することを促す。そして、Ｓ９０２で、バックアップ場所が指定されたかどうかを再び判別する。
【０１１１】
バックアップ場所が設定されれば（Ｓ９０２）、Ｓ９０３で、ＬＡＮ経由でネットワーク上のサーバとの通信を確立する。通常は、外部サーバの場所と、ユーザ名、パスワード等の情報とを、情報処理装置１００から送信し、認証することによって、外部サーバとの接続を確立する。実施例１において、ＬＡＮ接続で外部のサーバと接続しているが、通信手段を使ってデータを送信できるものであれば、ＬＡＮ接続以外の手段で外部サーバと接続するようにしてもよい。
【０１１２】
次に、Ｓ９０４では、サーバとの接続が確立したかどうかを判別する。接続が確立されなければ、Ｓ９０４において、接続が確立するまで待つ。Ｓ９０４において、接続が確立すれば、Ｓ９０５では、サーバのデータと現在携帯通信端末から転送されたデータの日付とをチェックする。
【０１１３】
そして、Ｓ９０６では、サーバのデータが、携帯通信端末２００からのデータよりも古いかどうかを判断し、携帯通信端末２００からのデータよりも古ければ、Ｓ９０７で、サーバでデータ保存する。
【０１１４】
携帯通信端末２００からのデータよりも古くなければ（Ｓ９０６）、携帯通信端末２００のデータを、サーバに本当にバックアップするかどうかを質問するために表示し（Ｓ９０８）、バックアップするのであれば（Ｓ９０９）、ステップＳ９０７に進み、バックアップしなければ（Ｓ９０９）、終了する。なお、上記バックアップ（Ｓ９０９）については、図６で示した動作でバックアップするようにしてもよい。図６では、携帯通信端末２００から情報処理装置１００のデータを保存する実施例であるが、情報処理装置１００からサーバへのデータバックアップとして考えている。
【０１１５】
実施例１によって、携帯通信端末２００が接続されている複合機（情報処理装置１００）が、ネットワーク等のサーバに接続され、データサーバを持つのであれば、データサーバに、データをバックアップすることができる。
【０１１６】
図１０は、実施例１において、接続されたパソコンに、データを転送する動作を示すフローチャートである。
【０１１７】
実施例１によって、携帯通信端末２００を接続することができる複合機において、パソコンが接続されているときに、そのパソコンのデータを、携帯通信端末２００にアップロードすることができる。
【０１１８】
まず、Ｓ１００１では、情報処理装置１００にパソコンが接続されているかどうかを判別する。情報処理装置１００にパソコンが接続されていなければ、Ｓ１００１で、パソコンが接続されるのを待つ。Ｓ１００１で、パソコンが接続されていることを検知したら、Ｓ１００２では、パソコンとの通信を確立する。通常、情報処理装置１００は、ＵＳＢ、シリアル、ＬＡＮ等で、パソコンと接続される。
【０１１９】
次に、Ｓ１００３では、パソコンとの通信が確立したかどうかを判別する。通信が確立されなければ、Ｓ１００３では、通信が確立するまで待つ。Ｓ１００３において、通信が確立すれば、Ｓ１００４において、パソコンに既にバックアップ場所が設定されているかどうかを判別する。バックアップ場所が設定されていなければ、Ｓ１００５において、バックアップ場所を作成し、Ｓ１００８では、パソコンデータをバックアップする。
【０１２０】
また、Ｓ１００４において、バックアップ場所が設定されていたら、Ｓ１００６において、パソコンのデータと、現在の携帯通信端末２００から転送されて情報処理装置１００に蓄積されているデータの日付とをチェックする。
【０１２１】
次に、Ｓ１００７において、パソコンに保存されているデータが、携帯通信端末２００のデータと比較し、パソコンのデータが古いかどうかを判別する。パソコンのデータが古い場合、Ｓ１００８において、データを保存する。Ｓ１００７において、パソコンのデータが携帯通信端末２００のデータよりも新しいと判別されたら、Ｓ１００９において、携帯通信端末２００のデータをパソコンに本当にバックアップするかどうかを、表示部１０８に表示し、質問する。
【０１２２】
Ｓ１０１０では、それでもバックアップするかどうかを判別する。バックアップを行う場合、Ｓ１００８において、パソコンにデータを保存する。バックアップをしない場合は終了する。
【０１２３】
Ｓ１００８は、パソコンにデータをバックアップするステップである。この場合、図６で示した動作によって、バックアップするようにしてもよい。図６では、携帯通信端末２００から情報処理装置１００のデータを保存する実施例であるが、情報処理装置１００からパソコンへのデータバックアップとして考えている。
【０１２４】
実施例１によって、携帯通信端末２００を接続することができる複合機において、パソコンが接続されている場合、パソコンのデータを、携帯通信端末２００にアップロードすることができる。
【０１２５】
図１１は、実施例１において、外部ネットワークサーバにバックアップされた携帯通信端末２００のデータを、機種変更後の携帯通信端末２００にアップロードする動作を示すフローチャートである。
【０１２６】
実施例１によって、携帯通信端末２００が接続された複合機が、ネットワーク等のサーバに接続され、データサーバを持つのであれば、データサーバのデータを、携帯通信端末２００にアップロードすることができる。
【０１２７】
Ｓ１１０１では、複合機がＬＡＮ接続されているかどうかを判別する。情報処理装置１００にＬＡＮが接続されていなければ、Ｓ１１０１では、ＬＡＮが接続されるのを待つ。Ｓ１１０１で、ＬＡＮが接続されていることを検知したら、Ｓ１１０２では、ＬＡＮ経由でネットワーク上のサーバとの間で通信を確立する。
【０１２８】
通常は、外部サーバの場所と、ユーザ名、パスワード等情報を、情報処理装置１００から送信し、認証することによって、外部サーバとの接続を確立する。実施例１において、ＬＡＮ接続で外部のサーバと接続しているが、通信手段を使ってデータを送信できる外部サーバであれば、この限りではない。
【０１２９】
次に、Ｓ１１０３では、サーバとの接続が確立したかどうかを判別する。接続が確立されなければ、Ｓ１１０３において、接続が確立するまで待つ。Ｓ１１０３において接続が確立していれば、Ｓ１１０４では、サーバに既にバックアップデータがあるかどうかを判別する。バックアップデータが無ければ、アップロード処理を終了する。Ｓ１１０４で、サーバにデータがあれば、Ｓ１１０５において、バックアップデータを携帯通信端末２００に転送する。
【０１３０】
実施例１によって、携帯通信端末２００が接続され、データをアップロードするときに、複合機が、ネットワークサーバとの接続機能を持っていれば、ネットワークサーバのデータを、携帯通信端末２００側にアップロードすることができる。
【０１３１】
図１２は、実施例１において、接続されたパソコンに、データを転送する動作を示すフローチャートである。
【０１３２】
実施例１によって、携帯通信端末２００を接続することができる複合機において、パソコンが接続されているときに、パソコンのデータを携帯通信端末２００にアップロードすることができる。
【０１３３】
まず、Ｓ１２０１において、情報処理装置１００にパソコンが接続されているかどうかを判別する。情報処理装置１００にパソコンが接続されていなければ、Ｓ１２０１では、パソコンが接続されるのを待つ。Ｓ１２０１で、パソコンが接続されていることを検知したら、Ｓ１２０２において、パソコンとの通信を確立する。通常、情報処理装置１００は、ＵＳＢ、シリアル、ＬＡＮ等で、パソコンと接続される。
【０１３４】
次に、Ｓ１２０３において、パソコンとの通信が確立したかどうかを判別する。通信が確立されなければ、Ｓ１２０３において、通信が確立するまで待つ。Ｓ１２０３において、通信が確立されていれば、Ｓ１２０４では、アップロードデータがあるかどうかを判別する。
【０１３５】
アップロードデータがなければ、アップロード処理を終了する。アップロード情報があれば、パソコンから携帯通信端末２００に、データをアップロードする。アップロードする場合、パソコンから、接続されている複合機にデータを転送し、この転送されたデータを、複合機から、接続されている携帯通信端末２００にそのまま転送する。
【０１３６】
実施例１によって、携帯通信端末２００を接続することができる複合機において、パソコンが接続できる際に、パソコンのデータを、携帯通信端末２００にアップロードすることができる。
【０１３７】
図１３は、実施例１において、データバックアップ、共有の情報を、画像に付与する動作を示すフローチャートである。
【０１３８】
Ｓ１３０１において、まず画像を選択する。実施例１では、携帯通信端末２００において設定する。ただし、設定することができれば、設定する装置は、携帯通信端末２００とは限らない。
【０１３９】
次に、Ｓ１３０１で設定された画像において、Ｓ１３０２において、画像に対して設定モードにされたかどうかを判別する。実施例１においては、画像が選択された際に、画像の編集や設定を行うことができる。この際に、その画像が自動バックアップするか、また複数の携帯通信端末２００で共有するデータであるかどうかを設定することができる。Ｓ１３０２において、画像の設定モードにされたら、Ｓ１３０３において、画像をバックアップ対象にするかどうかを判別する。
【０１４０】
ユーザが、携帯通信端末２００からの操作で、所定の画像をバックアップ対象として選択すれば、そのバックアップ対象の画像に、バックアップマークが付いた状態で、携帯通信端末２００の画面に表示される。バックアップマークが付けられたら、Ｓ１３０４において、画像情報に、バックアップ設定をＯＮにする。
【０１４１】
また、Ｓ１３０３において、バックアップマークをつけない場合、Ｓ１３０５において、画像の情報に、バックアップ対象としない設定にし、Ｓ１３０６において、選択された画像が共有を行うかどうかを判別する。ユーザが、画像を共有する選択をしたら、Ｓ１３０７において、選択された画像情報のうちで、共有設定をＯＮにする。また、Ｓ１３０６で画像を共有しないと判別されたら、Ｓ１３０８において、画像情報の共有設定をＯＦＦにする。
【０１４２】
次に、Ｓ１３０９において、アップロードマークを付けるかどうかを判別する。ユーザが、アップロードマークを付けることを設定したら、Ｓ１３１０において、画像情報にアップロード設定をＯＮにする。また、アップロードしない場合、Ｓ１３１１において、画像情報にアップロード設定をＯＦＦにする。
【０１４３】
このようにすることによって、１つ１つの画像に対して、データの転送情報を、画像に盛り込むことによって、アップロードやバックアップを自動的に行うことができる。
【０１４４】
図１６は、実施例１において、携帯通信端末２００のバックアップデータを、電話番号と端末情報とによってバックアップ領域を分ける動作の一例を示す図である。
【０１４５】
実施例１によれば、カメラ付き携帯通信端末２００と接続された複合機において、デジタルカメラの画像、メールデータ、Ｅメールアドレス、電話番号等を、自動的に、複合機に転送し、保存可能とするバックアップ機能を持つ複合機において、携帯通信端末２００が機種変更された場合、バックアップではなく、逆に、今までバックアップしていたデータを携帯通信端末２００側にアップロードさせることができる。
【０１４６】
また、実施例１によれば、機種変更が行なわれた場合も、ユーザは、昔のデータ（機種変更前のデータ）を、新しい携帯通信端末２００（機種変更後の携帯通信端末）に簡単に転送させることができる。
【０１４７】
さらに、実施例１によれば、複数のユーザの携帯通信端末２００に関しても、区別でき、これによって、バックアップとしては、複数ユーザのデータを持っていても、自分の昔のデータ（機種変更前のデータ）のみを、新しい機種（機種変更後の携帯通信端末）に転送することができる。
【０１４８】
そして、実施例１によれば、データのハンドリングに関しても、昔の機種（機種変更前の携帯通信端末）のデータを自動的に新しい機種のデータに変更することができる。
【０１４９】
また、実施例１によれば、バックアップする場合、携帯通信端末２００の電話番号が同じであっても、互いに異なる携帯通信端末２００について、データを別に保存することができる。
【０１５０】
さらに、実施例１によれば、バックアップのデータ毎にＩＤデータを付与する必要がなく、接続時のユーザ情報と端末情報毎に、データを保存することができる。
【図面の簡単な説明】
【０１５１】
【図１】本発明の実施例１である情報処理装置１００の概略構成を示すブロック図である。
【図２】実施例１である情報処理装置１００と接続される携帯通信端末２００の概略構成を示すブロック図である。
【図３】情報処理装置１００に設けられている操作部１０８の具体例を示す図である。
【図４】実施例１において、携帯通信端末２００を情報処理装置１００に接続した際に、自動バックアップまたは転送する動作を示すフローチャートである。
【図５】バックアップしておいたデータを、携帯通信端末２００にアップロードする動作を示すフローチャートである。
【図６】実施例１において、データのバックアップ動作を示すフローチャートである。
【図７】実施例１において、バックアップの詳細動作を示すフローチャートである。
【図８】実施例１において、アップロードの詳細動作を示すフローチャートである。
【図９】実施例１において、外部ネットワークサーバに、携帯通信端末２００のデータを自動バックアップする動作を示すフローチャートである。
【図１０】実施例１において、接続されたパソコンに、データを転送する動作を示すフローチャートである。
【図１１】実施例１において、外部ネットワークサーバにバックアップされた携帯通信端末２００のデータを、機種変更後の携帯通信端末２００にアップロードする動作を示すフローチャートである。
【図１２】実施例１において、接続されたパソコンに、データを転送する動作を示すフローチャートである。
【図１３】実施例１において、データバックアップ、共有の情報を、画像に付与する動作を示すフローチャートである。
【図１４】実施例１において、アップロードによるデータ自動変更の概念を示す図である。
【図１５】実施例１において、携帯通信端末２００のバックアップデータを、電話番号と端末情報とによってバックアップ領域を分ける動作の一例を示す図である。
【符号の説明】
【０１５２】
１００…情報処理装置、
１０１…ＣＰＵ、
１０２…ＲＯＭ、
１０３…ＲＡＭ、
１０４…画像メモリ、
１０５…データ変換部、
１０６…読取制御部、
１０７…読取部、
１０８…操作表示部、
１０９…通信制御部、
１１０…解像度変換処理部、
１１１…符号復号化処理部、
１１２…記録制御部、
１１３…記録部、
１１４…ＵＳＢホスト制御部、
１１５…ＵＳＢファンクション制御部、
１１６…データ蓄積部、
１１７…携帯通信端末認証部、
１１８…携帯通信端末Ｉ／Ｆ制御部、
１１９…ＰＣＭＣＩＡ  Ｉ／Ｆ制御部、
１２０…メモリカード、
１２１…デジタルカメラ、
２０１…ＣＰＵ、
２０２…ＲＯＭ、
２０３…画像メモリ、
２０４…操作部、
２０５…メモリカードＩ／Ｆ制御部、
２０６…メモリカード、
２０７…ＲＡＭ、
２０８…表示部、
２０９…外部Ｉ／Ｆ制御部、
２１０…画像撮影部、
２１１…通信部、
２１２…ＣＰＵバス。
【図１】
2006054692.tif 000003
【図２】
2006054692.tif 000004
【図３】
2006054692.tif 000005
【図４】
2006054692.tif 000006
【図５】
2006054692.tif 000007
【図６】
2006054692.tif 000008
【図７】
2006054692.tif 000009
【図８】
2006054692.tif 000010
【図９】
2006054692.tif 000011
【図１０】
2006054692.tif 000012
【図１１】
2006054692.tif 000013
【図１２】
2006054692.tif 000014
【図１３】
2006054692.tif 000015
【図１４】
2006054692.tif 000016
【図１５】
2006054692.tif 000017